(57)【特許請求の範囲】
【請求項１】
扁平な胴部（３）を有する合成樹脂製２軸延伸ブロー成形ボトルであって、前記胴部（３）の下端に連設された底部（８）の底壁（１０）を、周端部を形成する略楕円リング状の接地壁部（１１）と、該接地壁部（１１）の内側に陥没して連設された、中央の球弧殻状のドーム主部（１５）の下端周縁から、裾広がり状のドーム裾部（１４）を連設したドーム壁部（１２）とを有し、該ドーム壁部（１２）の、少なくとも長径方向側に位置する長径域（Ｄ）部分の、前記ドーム裾部（１４）の全幅範囲とドーム主部（１５）の周端部にかけての部分に、放射方向に沿って延びる複数の強化リブ（１６）を、間隔を空けて設け、前記両長径域（Ｄ）部分の強化リブ（１６）を対称に配置して構成し、前記接地壁部（１１）の短径方向に沿ったリング幅を大きくしたことを特徴としたブロー成形ボトル。
【請求項２】
ドーム壁部（１２）の、接地壁部（１１）との連設部分を構成する周端部に、前記接地壁部（１１）との間に、陥没する段部を形成する、略楕円リング状をした裾段部（１３）を形成した請求項１記載のブロー成形ボトル。
【請求項３】
長径域（Ｄ）に設けられた強化リブ（１６）の間に、該強化リブ（１６）に比べて突出高さおよび幅の小さい補助リブ（１７）を設けた請求項１または２記載のブロー成形ボトル。
【請求項４】
胴部（３）を、四つの隅角部を略平坦なコーナー壁（５）で角取りした長方形筒構造とした請求項１または２または３記載のブロー成形ボトル。
【発明の詳細な説明】
【技術分野】
【０００１】
本発明は、2軸延伸ブロー成形された合成樹脂製のボトル、特に大型で、内容液を熱充填する、扁平な胴部を有するブロー成形ボトルに関するものである。
【背景技術】
【０００２】
大型の合成樹脂製２軸延伸ブロー成形ボトルの内、胴部の平断面形状が、長円形とか長方形等の扁平形状となっており、内容液を熱充填するものにあっては、底部の、熱による底落ちの発生を防止すべく、底部の底壁を、中央にできるだけ大きな球弧殻状の陥没壁部を形成し、この陥没壁部に複数の補強リブを放射状に設け、陥没壁部の周囲に接地壁部分を設けた構成としている。
【０００３】
この従来技術の構成は、底壁の大きな部分を、補強リブで強化された陥没壁部で構成するので、熱による底落ちの発生を、強力に防止することができることになる。
【特許文献１】特開平０８−０２６２３９号公報
【発明の開示】
【発明が解決しようとする課題】
【０００４】
しかしながら、上記した従来技術にあっては、補強リブの端部が、陥没壁部の延伸中心箇所の間じかに位置することになるので、この補強リブを含む陥没壁部の成形性が、必ずしも良好とはならず、成形不良が発生する恐れがある、と云う問題があった。
【０００５】
また、球弧殻状の陥没壁部の周囲に形成される接地壁部分は、当然のこととして円形リング状となるのであるが、胴部の平断面形状が扁平であるので、この胴部の扁平形状に合わせて、短径側のリング幅を小さくしなければならず、このため、もともと長径方向側に比べて「座り」の安定性に劣る短径方向側の、接地壁部が発揮するボトルの「座」としての機能が不安定となる、と云う問題があった。
【０００６】
そこで、本発明は、上記した従来技術における問題点を解消すべく創案されたもので、底壁の延伸成形される部分に補強リブを形成すると共に、短径方向側の接地壁部分のリング幅を充分に確保することを技術的課題とし、もって複数の補強リブを有する底壁を良好に成形すると共に、安定した「座」機能を発揮できるようにすることを目的とする。
【課題を解決するための手段】
【０００７】
上記技術的課題を解決する本発明の内、請求項１記載の発明の手段は、
扁平な胴部を有する合成樹脂製２軸延伸ブロー成形ボトルであること、
胴部の下端に連設された底部の底壁を、周端部を形成する略楕円リング状の接地壁部と、この接地壁部の内側に陥没して連設された、中央の球弧殻状のドーム主部の下端周縁から、裾広がり状のドーム裾部を連設したドーム壁部とを有し、このドーム壁部の、少なくとも長径方向側に位置する長径域部分の、ドーム裾部の全幅範囲とドーム主部の周端部にかけての部分に、放射方向に沿って延びる複数の強化リブを、間隔を空けて設け、両長径域部分の強化リブを対称に配置して構成したこと、
接地壁部の短径方向に沿ったリング幅を大きくしたこと、
にある。
【０００８】
この請求項１記載の発明においては、強化リブを、少なくとも長径域部分の傾斜の緩やかなドーム裾部に設けたので、このドーム裾部を強力に補強することになり、これによりドーム壁部の底落ちを確実に防止する。
【０００９】
また、底壁のドーム主部の中央部分に、延伸中心部分が位置することになり、ドーム主部の周囲に位置するドーム裾部は延伸変形部分となるので、このドーム裾部の全幅範囲と、ドーム主部の周端部にかけての部分に形成される強化リブは、無理なく成形されることになる。
【００１０】
さらに、ドーム裾部は、球弧状ではなく、単に裾広がり状に傾斜した部分であるので、その幅を一律に規制されることがなく、このため各部分の幅を、接地壁部の略楕円リング形状に合わせて設定することにより、短径方向に沿った接地壁部の幅を、所望する値とすることができる。
【００１１】
請求項２記載の発明は、請求項１記載の発明の構成に、ドーム壁部の、接地壁部との連設部分を構成する周端部に、接地壁部との間に、陥没する段部を形成する、略楕円リング状をした裾段部を形成した、ことを加えたものである。
【００１２】
この請求項２記載の発明においては、接地壁部と、陥没したドーム壁部との接続部分に、段状に陥没する部分を形成することになるので、内圧の作用等により、ドーム壁部にわずかな下降変位が生じたとしても、ドーム壁部の一部がボトルの載置面に当接することがない。
【００１３】
請求項３記載の発明は、請求項１または２記載の発明の構成に、長径域に設けられた強化リブの間に、この強化リブに比べて突出高さおよび幅の小さい補助リブを設けた、ことを加えたものである。
【００１４】
この請求項３記載の発明においては、同じ補強強度を得るのに、成形の容易な補助リブを設けることにより、強化リブを、間隔を充分に空けて、その数を少なくすることができる。
【００１５】
請求項４記載の発明は、請求項１または２または３記載の発明の構成に、胴部を、四つの隅角部を略平坦なコーナー壁で角取りした長方形筒構造とした、ことを加えたものである。
【００１６】
この請求項４記載の発明においては、大型の２軸延伸ブロー成形ボトルとして、数多く生産されている長方形角型ボトルに、優れた「座」機能を付与することができる。
【発明の効果】
【００１７】
本発明は、上記した構成となっているので、以下に示す効果を奏する。
請求項１記載の発明にあっては、傾斜が緩やかで耐内圧強度が必ずしも充分ではないドーム裾部を、強化リブにより強力に補強するので、ドーム壁部の底落ちの発生を確実に防止することができ、また強化リブを無理なく安定して成形することができるので、底落ちのないボトルの高い生産性を得ることができ、さらに安定した「座」機能を得ることができるので、内容液充填等での取扱い状態が良好なものとなる。
【００１８】
請求項２記載の発明にあっては、ドーム壁部の一部がボトルの載置面に当接することがないので、接地壁部が、常に安定した「座」機能を発揮することになる。
【００１９】
請求項３記載の発明にあっては、リブによる補強強度を低下させることなく、強化リブを安定して良好に成形することができ、これにより高い品質を得ることができる。
【００２０】
請求項４記載の発明にあっては、大型の２軸延伸ブロー成形ボトルとして、数多く生産されている長方形角型ボトルの起立姿勢が安定したものとなるので、安定した取扱いを得ることができる。
【発明を実施するための最良の形態】
【００２１】
以下、本発明の一実施形態を、図面を参照しながら説明する。
【００２２】
本発明によるボトル（以下，図１参照）は、長方形筒形状をした胴部３と、この胴部３の上端に、略角錐台筒形状をした肩部２を介して、外周面に螺条とネックリングとを設けて連設された、円筒状の口筒部１と、胴部３の下端に連設された底部８とから構成されている。
【００２３】
胴部３は、四つの隅角部を幅の小さい略平坦なコーナー壁５で角取りして、四つの平坦壁４で長方形筒形状に構成されており、その略中央高さ箇所には、周溝７が全周に亘って周設されている。
【００２４】
平坦壁４は、正面および背面を形成する幅広部分と、両側面を形成する幅狭部分とを有しており、周溝７により上下に分割された各平坦壁４部分には、それぞれ減圧吸収のためのパネル壁部６が形成されている。
【００２５】
胴部３の下端に連設された底部８（以下、図２参照）は、胴部３の下端縁に連設されて、下方に湾曲縮径した底周壁９と、この底周壁９の下端に連設されて、胴部３の下方を閉鎖する底壁１０とから構成され、この底壁１０は、周端部分を形成する接地壁部１１と、この接地壁部１１の内側に位置して、内方に陥没したドーム壁部１２とから構成されている。
【００２６】
接地壁部１１は、胴部３の平断面形状に整合させて、胴部３の長辺方向を長径方向とすると共に、胴部３の短辺方向を短径方向とした、略楕円リング形状となっており、短径方向に沿ったリング幅は、充分に大きく成形されている。
【００２７】
この接地壁部１１の内側に陥没連設されたドーム壁部１２は、接地壁部１１との連設部分を形成すると共に、この接地壁部１１との間に、陥没した段差（図４参照）を形成する、略楕円リング状の裾段部１３と、延伸中心部分が位置する上端中央部分を、下方に湾曲突出させた形態で、球弧殻状に成形されたドーム主部１５と、このドーム主部１５と裾段部１３との間を、内方に上昇傾斜して連結するドーム裾部１４とから構成されている。
【００２８】
このドーム壁部１２は、大まかではあるが、長径方向側に位置する二つの長径域Ｄと、短径方向側に位置する二つの短径域ｄとに区画（図２参照）され、図３に示す、図２中、Ａ−Ａ線に沿って切断矢視した不規則断面図から明らかなように、短径域ｄにおけるドーム裾部１４の傾斜角度が急激であるのに対し、長径域Ｄにおけるドーム裾部１４の傾斜角度は緩やかとなっている。
【００２９】
この傾斜角度が緩やかとなった長径域Ｄにおけるドーム裾部１４部分には、突出寸法および幅寸法の大きい三つの強化リブ１６が、充分な間隔を空けて、ドーム裾部１４の外周端縁（図３の丸印イで囲った部分の拡大図である図４参照）から、ドーム主部１５の周端部にかけて、放射方向に沿って設けられており、そしてこの強化リブ１６の間には、
補助リブ１７が設けられている。
【００３０】
この強化リブ１６と補助リブ１７とは、図２中、Ｂ−Ｂ線に沿って切断矢視した不規則断面図である図５に示す断面構造を有しており、補助リブ１７は、強化リブ１６に比べて、その突出寸法および幅寸法が小さく、その分、成形性が良く、強化リブ１６の間に補助リブ１７を設けたことによる、成形性の低下を生じないようにしている。
【００３１】
また、強化リブ１６は、その間隔を大きくすることにより、良好な成形性を維持できるようにしているのであるが、補助リブ１７は、この強化リブ１６の間隔が大きくなったことによる、長径域Ｄのドーム裾部１４に対する補強力のバラツキをできる限り小さくするものとなっている。
【００３２】
なお、上記した説明にあっては、強化リブ１６および補助リブ１７は、長径域Ｄのドーム裾部１４部分に設けた構成例を示したが、場合によっては、この強化リブ１６および補助リブ１７を、短径域ｄのドーム裾部１４部分にも設けても良い。
【図面の簡単な説明】
【００３３】
【図１】本発明の一実施形態例を示す、全体正面図である。
【図２】図１に示したボトルの、拡大底面図である。
【図３】図２中、Ａ−Ａ線に沿って切断矢視した、不規則部分縦断面図である。
【図４】図３中、丸印イで囲った部分の、拡大図である。
【図５】図２中、Ｂ−Ｂ線に沿って切断矢視した、不規則部分縦断面図である。
【符号の説明】
【００３４】
１  ；  口筒部
２  ；  肩部
３  ；  胴部
４  ；  平坦壁
５  ；  コーナー壁
６  ；  パネル壁部
７  ；  周溝
８  ；  底部
９  ；  底周壁
１０；  底壁
１１；  接地壁部
１２；  ドーム壁部
１３；  裾段部
１４；  ドーム裾部
１５；  ドーム主部
１６；  強化リブ
１７；  補助リブ
Ｄ  ；  長径域
ｄ  ；  短径域
【図１】
0004697630.tif 000002
【図２】
0004697630.tif 000003
【図３】
0004697630.tif 000004
【図４】
0004697630.tif 000005
【図５】
0004697630.tif 000006